(57)【要約】【課題】企業の電話番号の利用状況履歴と倒産などの事故発生との相関性に着目し、電話番号に基づいて電話契約者の信用度を推定する。【解決手段】（２）利用履歴データベースは、電話番号と、当該電話番号の利用履歴データとを対応付けして複数記憶すること（３）利用履歴データは、電話番号の利用状況を調査期日に対応付けして時系列に配列すること（４）不良実績テーブルは、所定期間分の利用履歴データの変遷パターンと、不良指標を対応付けして複数記述すること（５）制御手段は、入力手段より電話番号Ａと基準日Ｂの入力を受け付けた際、第１、第２処理を行うこと（６）第１処理は、利用履歴データベースにおける電話番号Ａの利用履歴データのうち、基準日Ｂの前または後または前後の所定期間の利用履歴データＣを抽出するこ（７）第２処理は、不良実績テーブルから利用履歴データＣに該当する不良指標を抽出し、当該不良指標を電話番号Ａに対応付けして出力手段より出力させること【選択図】図１
2008129796.tif 000002
【特許請求の範囲】
【請求項１】
利用履歴データベースと、不良実績テーブルと、制御手段と、入力手段と、出力手段を備え、電話番号に基づいて電話契約者の信用度を推定するコンピュータシステムであって、
利用履歴データベースは、電話番号と、当該電話番号の利用履歴データとを対応付けして複数記憶し、
利用履歴データは、電話番号の利用状況を調査期日に対応付けして時系列に配列し、
不良実績テーブルは、所定期間分の利用履歴データの変遷パターンと、不良指標を対応付けして複数記述し、
制御手段は、入力手段より電話番号Ａと基準日Ｂの入力を受け付けた際、第１、第２処理を行い、
第１処理は、利用履歴データベースにおける電話番号Ａの利用履歴データのうち、基準日Ｂの前または後または前後の所定期間の利用履歴データＣを抽出し、
第２処理は、不良実績テーブルから利用履歴データＣに該当する不良指標を抽出し、当該不良指標を電話番号Ａに対応付けして出力手段より出力させる
コンピュータシステム。
【請求項２】
利用履歴データベースと、履歴類型テーブルと、不良実績テーブルと、制御手段と、入力手段と、出力手段を備え、電話番号に基づいて電話契約者の信用度を推定するコンピュータシステムであって、
利用履歴データベースは、電話番号と、当該電話番号の利用履歴データとを対応付けして複数記憶し、
利用履歴データは、電話番号の利用状況を調査期日に対応付けして時系列に配列し、
履歴類型テーブルは、所定期間分の利用履歴データの変遷パターンと、パターン番号とを対応付けして複数記述し、
不良実績テーブルは、パターン番号と、不良指標を対応付けして複数記述し、
制御手段は、入力手段より電話番号Ａと基準日Ｂの入力を受け付けた際、第１〜第３処理を行い、
第１処理は、利用履歴データベースにおける電話番号Ａの利用履歴データのうち、基準日Ｂの前または後または前後の所定期間の利用履歴データＣを抽出し、
第２処理は、履歴類型テーブルから利用履歴データＣに該当するパターン番号Ｄを抽出し、
第３処理は、不良実績テーブルからパターン番号Ｄに該当する不良指標を抽出し、当該不良指標を電話番号Ａに対応付けして出力手段より出力させる
コンピュータシステム。
【発明の詳細な説明】
【技術分野】
【０００１】
この発明は、任意の企業の信用度を調査するに際して、倒産などの事故発生の可能性をきわめて簡便に予測するコンピュータ情報処理技術に関し、とくに、企業の電話番号の利用状況履歴と倒産などの事故発生との相関性に着目した技術に関する。
【背景技術】
【０００２】
特許第３２２７３９８号「電話番号の調査方法と装置および電話番号リストのクリーニング方法」に係る発明では、コンピュータによりＩＳＤＮに自動発呼し、加入者端末に呼び出しをかけることなく、電話番号の利用状況（使われている電話番号・使われていない電話番号・番号変更になった電話番号など）を調査している。また、この調査結果をデータベース化するとともに、調査を定期的に繰り返してつねに最新の利用状況をデータベースに反映させている。さらに、そのデータベースを利用し、たとえば顧客名簿の電話番号リストから現在使用されていない電話番号を抽出している。
【０００３】
特許第３６８６９６７号「不正利用者探知システム及びそのソフトウエアプログラム」に係る発明では、上記のデータベースに電話番号の利用状況の変遷が蓄積されることを利用している。各電話番号の利用状況の変遷、たとえば調査時点１では使用中→調査時点２では使用中→調査時点３では一次取りはずし→調査時点４では非使用→・・・→調査時点１０では使用中→・・・という利用状況履歴がデータベースに蓄積される。
【０００４】
そして、調査依頼人から調査すべき電話番号が入力されたとき、上記データベースで当該電話番号の利用履歴を調べ、その電話番号が「新設電話」なのか「延滞予備軍電話」なのか「非定期使用電話番号」なのかを判定し、判定結果を調査依頼人に報告するシステム構成としている。
【発明の開示】
【０００５】
企業情報調査機関では、企業の倒産・解散・廃業・被合併などの事故発生を調査してデータベース化している。本願の発明者らは、企業事故データベースに基づいて、事故企業が使用していた電話番号を抽出するとともに、当該企業の事故発生期日（倒産期日）を抽出した。そして、事故発生期日の直前において当該企業の電話番号の利用履歴がどのように変遷していたのかを上記の電話番号利用履歴データベースにより調べた。過去十数年にわたる膨大な数の企業事故についてこの調査を行うとともに、正常企業の電話番号の利用履歴の変遷と比較し、事故直前の電話番号利用状況の変化の特徴分析を行った。分析によれば、事故を起こした企業に多発する電話番号利用履歴のいくつかの類型を見いだすことができた。その分析結果に基づいて以下の不良実績テーブルを作成した。
【０００６】
この発明に係るコンピュータシステムは、つぎの事項（１）〜（７）により特定されるものである。  
（１）利用履歴データベースと、不良実績テーブルと、制御手段と、入力手段と、出力手段を備え、電話番号に基づいて電話契約者の信用度を推定するコンピュータシステムであること
（２）利用履歴データベースは、電話番号と、当該電話番号の利用履歴データとを対応付けして複数記憶すること
（３）利用履歴データは、電話番号の利用状況を調査期日に対応付けして時系列に配列すること
（４）不良実績テーブルは、所定期間分の利用履歴データの変遷パターンと、不良指標を対応付けして複数記述すること
（５）制御手段は、入力手段より電話番号Ａと基準日Ｂの入力を受け付けた際、第１、第２処理を行うこと
（６）第１処理は、利用履歴データベースにおける電話番号Ａの利用履歴データのうち、基準日Ｂの前または後または前後の所定期間の利用履歴データＣを抽出すること
（７）第２処理は、不良実績テーブルから利用履歴データＣに該当する不良指標を抽出し、当該不良指標を電話番号Ａに対応付けして出力手段より出力させること
＝＝＝発明の効果＝＝＝
このシステムによれば、ある企業や人のある時期（上記の基準日Ｂに該当する）におけるその企業や人の電話番号Ａの利用履歴に基づいて、その企業や人の信用度をきわめて簡便に推測することができる。
【実施例】
【０００７】
この発明の一実施例によるコンピュータシステムの概要を示している。このコンピュータシステムは、ごく一般的なサーバーコンピュータであり、インターネットなどの通信網を介して依頼人コンピュータ（ブラウザ搭載のごく普通のパソコン）と通信可能である。
【０００８】
本システムのハードディスク装置には、利用履歴データベースと、履歴類型テーブルと、不良実績テーブルが格納されている。
【０００９】
利用履歴データベースは、電話番号と、当該電話番号の利用履歴データとを対応付けして複数記憶したものである。このデータベースにおける電話番号は、使用中・非使用にかかわらず電話番号として存在しうるすべての番号を網羅したものである。また、このデータベースにおける利用履歴データは、電話番号の利用状況を調査期日に対応付けして時系列に配列したデータである。なお、出願人は最近の十数年間にわたる利用履歴データを保有している。すべての電話番号について約１ヶ月の周期で調査を繰り返しており、各調査時点の利用状況を表す符号と、調査日時とが時系列に対応付けされている。
【００１０】
履歴類型テーブルは、所定期間分の利用履歴データの変遷パターンと、パターン番号とを対応付けして複数記述したものである。ここでの所定期間分の利用履歴データの変遷パターンとは、第１実施例としては、３ヶ月以上６ヶ月未満の期間における連続した３回分の調査結果の配列データのことである。また第２実施例としては、３ヶ月以上６ヶ月未満の期間における調査結果の変化を類型化したデータである。そして、各変遷パターンにそれぞれ識別番号（パターン番号）が付いている。ここでは、同一のパターン番号に複数の異なる変遷パターンを対応付けすることを排除しない。
【００１１】
不良実績テーブルは、パターン番号と、不良指標を対応付けして複数記述したものである。不良指標とは、前述したように企業事故データベースに基づいて、事故企業が使用していた電話番号が事故直前において利用状況の変遷パターンを示していたかについて、膨大な数に事例分析から得た数値である。具体例としては、０〜１００の数値を不良指標とし、１００が事故発生の可能性が最大であり、０が最小である。
【００１２】
本システムは、調査依頼人コンピュータと通信し、調査依頼人コンピュータから電話番号Ａと基準日Ｂの入力を受け付けた際、つぎのように処理を実行する。
【００１３】
まず、利用履歴データベースにおける電話番号Ａの利用履歴データのうち、基準日Ｂの前または後または前後の所定期間の利用履歴データＣを抽出する。このとき抽出する利用履歴データは、上記と同様に、基準日Ｂのたとえば直前の３ヶ月以上６ヶ月未満の期間における連続した３回分の調査結果の配列である（または、３ヶ月以上６ヶ月未満の期間における調査結果の変化を類型化したデータである）。つぎに、履歴類型テーブルから利用履歴データＣに該当するパターン番号Ｄを抽出する。そして、不良実績テーブルからパターン番号Ｄに該当する不良指標を抽出し、当該不良指標を電話番号Ａに対応付けして調査依頼人コンピュータに送信する。
【００１４】
もちろん、調査依頼人コンピュータから電話番号と基準日を受け取って１件１件応答する処理方式や、依頼人コンピュータから電話番号と基準日を複数記述したリストを受け取り、それらをまとめて処理し、処理結果の不良指標を付けたリストを作成して依頼人コンピュータに返信する方式など、いろいろな方式を採用することができる。
【００１５】
なお、本発明の処理論理の原理から明らかなように、パターン番号という中間論理を廃止して、上記データベースから抽出した利用履歴データに基づいて直接的に該当する不良指標を抽出するように構成することも容易である。
【００１６】
また、利用履歴データベースは逐次行われる電話番号利用状況調査の結果に基づいて逐次更新される。不良実績テーブルの内容も、その元となる企業事故データベースが更新されたなら、あたらしい事故事例に基づいて最適化することが望ましい。
【図面の簡単な説明】
【００１７】
【図１】この発明の一実施例によるコンピュータシステムの概略構成図である。
【図１】
2008129796.tif 000003